(57)【要約】【課題】表示されている計測結果を示す数字の種別を視認し易く表示することができる。【解決手段】腕時計は、計測結果を示す数字を表示する第１の表示部と、第１の表示部が表示する文字よりも小さい大きさで、計測結果の種別を示す文字を表示する第２の表示部と、第１の表示部に、計測結果の種別を示す文字を、数字のうち少なくとも１つと同じ大きさで表示する表示制御部と、を備える。【選択図】図１
2014038073.tif 000002
【特許請求の範囲】
【請求項１】
計測結果を示す数字を表示する第１の表示部と、
前記第１の表示部に、前記計測結果の種別を示す文字を、前記数字のうち少なくとも１つと同じ大きさで表示させる表示制御部と、
を備えることを特徴とする腕時計。
【請求項２】
前記第１の表示部が表示する文字よりも小さい大きさで、前記計測結果の種別を示す文字を表示する第２の表示部を備え、
前記表示制御部は、前記計測結果の種別を示す文字を表示する表示部を、第１の表示部と第２の表示部とで切り替える
ことを特徴とする請求項１に記載の腕時計。
【請求項３】
操作入力を受け付ける入力部を備え、
前記表示制御部は、前記入力部が計測開始を指示する操作入力を受け付けた時から前記計測結果を示す数字の桁数が予め定めた桁数に達するまで、前記第１の表示部に前記計測結果の種別を示す文字を表示し、前記計測結果を示す数字の桁数が前記予め定めた桁数に達すると、前記第１の表示部に表示した前記計測結果の種別を示す文字を消去し、前記第２の表示部に前記計測結果の種別を示す文字を表示させる
ことを特徴とする請求項２に記載の腕時計。
【請求項４】
操作入力を受け付ける入力部を備え、
前記表示制御部は、前記入力部が表示を切り替える操作入力を受け付けると、前記第１の表示部に前記計測結果の種別を示す文字を予め定めた時間表示させる
ことを特徴とする請求項１から３いずれか１項に記載の腕時計。
【請求項５】
腕時計における表示方法であって、
前記腕時計が、計測結果を示す数字を表示する第１の表示部に、前記計測結果の種別を示す文字を、前記数字のうち少なくとも１つと同じ大きさで表示するステップ、
を有することを特徴とする表示方法。
【発明の詳細な説明】
【技術分野】
【０００１】
本発明は、腕時計および表示方法に関する。
【背景技術】
【０００２】
クロノグラフ（ストップウォッチ）機能を有するディジタル腕時計には、ラップタイムやスプリットタイムを計測し、それらを併せて表示するものがある（例えば、特許文献１参照）。そして、それらを区別できるように、計測した時間を示す数字よりも小さいマークを付して計測結果を表示する方法がある。図１０は、従来技術における計測結果の表示例を示す概念図である。図示するように、ラップタイムを示す数字の近傍に「Ｌａｐ」のマークを付し、スプリットタイムを示す数字の近傍に「Ｓｐｌ」のマークを付してラップタイムとスプリットタイムとを併せて表示している。これにより、ユーザは、どちらの数字がラップタイムであるかスプリットタイムであるかを判別することができる。
【先行技術文献】
【特許文献】
【０００３】
【特許文献１】特開２０１０−４８６６６号公報
【発明の概要】
【発明が解決しようとする課題】
【０００４】
しかしながら、上述した従来技術では、計測した時間の種別を示すマークが小さいため、視認性がよくないという問題がある。また、意図しないボタン操作（例えば、操作ボタンが什器や衣服など他の物体に接触）によって表示が変化するため、表示されている数字の種別を直ちに認識できないことがある。
【０００５】
そこで、本発明は上述の事情を鑑みてなされたものであり、表示されている数字の種別を視認し易く表示することができる腕時計および表示方法を提供することを目的とする。
【課題を解決するための手段】
【０００６】
（１）本発明の一態様は、計測結果を示す数字を表示する第１の表示部と、前記第１の表示部に、前記計測結果の種別を示す文字を、前記数字のうち少なくとも１つと同じ大きさで表示させる表示制御部とを備えることを特徴とする腕時計である。
【０００７】
（２）また、本発明の他の態様は、上述の腕時計において、前記第１の表示部が表示する文字よりも小さい大きさで、前記計測結果の種別を示す文字を表示する第２の表示部を備え、前記表示制御部は、前記計測結果の種別を示す文字を表示する表示部を、第１の表示部と第２の表示部とで切り替えることを特徴とする。
【０００８】
（３）また、本発明の他の態様は、上述の腕時計において、操作入力を受け付ける入力部を備え、前記表示制御部は、前記入力部が計測開始を指示する操作入力を受け付けた時から前記計測結果を示す数字の桁数が予め定めた桁数に達するまで、前記第１の表示部に前記計測結果の種別を示す文字を表示し、前記計測結果を示す数字の桁数が前記予め定めた桁数に達すると、前記第１の表示部に表示した前記計測結果の種別を示す文字を消去し、前記第２の表示部に前記計測結果の種別を示す文字を表示させることを特徴とする。
【０００９】
（４）また、本発明の他の態様は、上述の腕時計において、操作入力を受け付ける入力部を備え、前記表示制御部は、前記入力部が表示を切り替える操作入力を受け付けると、前記第１の表示部に前記計測結果の種別を示す文字を予め定めた時間表示させることを特徴とする。
【００１０】
（５）また、本発明の他の態様は、腕時計における表示方法であって、前記腕時計が、計測結果を示す数字を表示する第１の表示部に、前記計測結果の種別を示す文字を、前記数字のうち少なくとも１つと同じ大きさで表示するステップ、を有することを特徴とする表示方法である。
【発明の効果】
【００１１】
本発明によれば、計測結果を示す数字を表示する第１の表示部に、計測結果の種別を示す文字を、計測結果を示す数字と同じ大きさで表示する。これにより、計測結果の種別を示す文字を、計測結果を示す数字と同じ大きさで表示できる。このため、表示されている数字の種別を視認し易く表示することができる。
【図面の簡単な説明】
【００１２】
【図１】本発明の実施形態における腕時計の外観構成を示す正面図である。
【図２】本実施形態における腕時計の構成を示すブロック図である。
【図３】本実施形態における表示部における表示態様の状態遷移図である。
【図４】本実施形態における表示部が表示する計測結果の一例を示す図である。
【図５】本実施形態における表示部が表示する計測結果の他の例を示す図である。
【図６】本実施形態における表示部が表示する計測結果の他の例を示す図である。
【図７】本実施形態における表示部が表示する計測結果の他の例を示す図である。
【図８】本実施形態における表示部が表示する計測結果の他の例を示す図である。
【図９】本実施形態における表示部が表示する計測結果の他の例を示す図である。
【図１０】従来技術における計測結果の表示例を示す図である。
【発明を実施するための形態】
【００１３】
以下、本発明の実施形態について、図面を参照しながら説明する。なお、各図において同一部分には同一符号を付している。
図１は、本実施形態における腕時計１００の外観構成を示す正面図である。腕時計１００は、ストップウォッチ（計測）機能付き電子腕時計である。また、腕時計１００は、指定された計測途中の時刻からの経過時間（例えば、所定地点間の走行時間）であるラップタイムや計測開始からの全経過時間（例えば、出発点からの走行時間）であるスプリットタイムを測定する計測機能と、計測した過去のラップタイムやスプリットタイムを表示する読出機能とを有する。また、腕時計１００は、計測機能を実行するモードである計測モードと、読出機能を実行するモードであるリコールモードとの２種類の動作モードを備えている。図示するように、腕時計１００は、複数（本実施形態では４つ）の操作ボタンＡ〜Ｄと、表示部１０５とを含んで構成される。
【００１４】
キー入力手段１０４（入力部）は、操作入力を受け付ける操作ボタンＡ〜Ｄを含んで構成される。操作ボタンＡ（ＭＯＤＥ）は、動作モードを切り替える操作入力を受け付ける。また、操作ボタンＢ（ＳＴＡＲＴ／ＬＡＰ）は、計測開始や計測再開、ラップタイムの記録、ラップタイムの読出し等を指示する操作入力を受け付ける。また、操作ボタンＣ（ＳＴＯＰ／ＲＥＳＥＴ）は、計測終了やリセット、記録したファイルの読出し等を指示する操作入力を受け付ける。また、操作ボタンＤ（ＴＩＭＥ／ＣＨＲ）は、表示を切り替える操作入力を受け付ける。
【００１５】
例えば、動作モードが計測モードである場合、操作ボタンＡを操作することによって動作モードを計測モードからリコールモードへの切り替えを行うことができる。また、計測モードにおいて、操作ボタンＢを操作することによって計測開始や計測再開、ラップタイムの記録を行うことができる。また、計測モードにおいて、操作ボタンＣを操作することによって計測終了やリセットを行うことができる。また、計測モードにおいて、操作ボタンＤを操作することによって時刻と計測中の計測時間（ラップタイムとスプリットタイム）との表示切り替えを行うことができる。
【００１６】
また、動作モードがリコールモードである場合、操作ボタンＡを操作することによってリコールモードから計測モードへの切り替えを行うことができる。また、リコールモードにおいて、操作ボタンＢを操作することによって後述するファイルからラップタイム又はスプリットタイムを選択し、選択したラップタイム又はスプリットタイムを表示部１０５に表示させることができる。また、リコールモードにおいて、操作ボタンＣを操作することによってＲＡＭ１１０に記憶されたファイルを選択することができる。ファイルには、計測したラップタイムやスプリットタイムが記録されている。また、リコールモードにおいて、操作ボタンＤを操作することによって時刻と上述の計測済みの計測時間（ラップタイムとスプリットタイム）との表示切り替えを行うことができる。
【００１７】
表示部１０５は、第１の表示部１０５−１と第２の表示部１０５−２を含んで構成される。第１の表示部１０５−１は、例えば、１個又は複数個のセグメントディスプレイを含んで構成される。図１に示す例では、第１の表示部１０５−１は、２個のセグメントディスプレイ１０５−１ａ、１０５−１ｂを含んで構成される。第１の表示部１０５−１は、計測機能により計測した時間である計測結果（ラップタイムやスプリットタイム）を示す数字や現在の時刻を表示する。第２の表示部１０５−２は、例えば、表示セルであり、計測結果を示す数字の左右のうち何れか（例えば、左側）の近傍に配置されている。図１に示す例では、第２の表示部１０５−２は、２個の表示セル１０５−２ａ、１０５−２ｂを含んで構成される。第２の表示部１０５−２は、第１の表示部１０５−１が表示する文字よりも小さい大きさ（例えば、一辺の長さが１／４又はそれよりも小さい）で、計測結果の種別を示す文字（マーク）を表示する。例えば、セグメントディスプレイ１０５−１ａ、１０５−１ｂがラップタイム、スプリットタイムを表示する場合、それぞれ対応する表示セル１０５−２ａ、１０５−２ｂはラップタイムを示すマーク「Ｌａｐ」や、スプリットタイムを示すマーク「Ｓｐｌ」を表示する。以下の説明では、セグメントディスプレイ１０５−１ａ、１０５−１ｂを区別しない場合には、単に第１の表示部１０５−１と呼ぶ。表示セル１０５−２ａ、１０５−２ｂを区別しない場合には、単に第２の表示部１０５−２と呼ぶ。
【００１８】
図２は、本実施形態における腕時計１００の構成を示すブロック図である。図示する例では、腕時計１００は、ＣＰＵ（Ｃｅｎｔｒａｌ  Ｐｒｏｃｅｓｓｉｎｇ  Ｕｎｉｔ）１０１（表示制御部）と、発振回路１０２と、分周回路１０３と、キー入力手段１０４と、表示部１０５と、電池１０６と、ＲＡＭ（Ｒａｎｄｏｍ  Ａｃｃｅｓｓ  Ｍｅｍｏｒｙ、ランダムアクセスメモリ）１１０と、ＲＯＭ（Ｒｅａｄ  Ｏｎｌｙ  Ｍｅｍｏｒｙ、読み出し専用メモリ）１１１とを備える。
【００１９】
ＣＰＵ１０１は、腕時計１００が備える各部の制御を行う。例えば、ＣＰＵ１０１は、第１の表示部１０５−１に、計測結果の種別を示す文字を、計測結果を示す数字と同じ大きさで表示させる。また、ＣＰＵ１０１は、計測結果の種別を示す文字を表示する表示部１０５を、第１の表示部１０５−１と第２の表示部１０５−２との間で切り替える。また、ＣＰＵ１０１は、キー入力手段１０４が計測開始を指示する操作入力を受け付けた時から計測結果を示す数字の桁数が予め定めた数（例えば、６桁）に達するまで、第１の表示部１０５−１に計測結果の種別を示す文字を表示させる。ＣＰＵ１０１は、計測結果を示す数字の桁数が予め定めた数に達すると、第１の表示部１０５−１に表示した計測結果の種別を示す文字を消去し、第２の表示部１０５−２に計測結果の種別を示す文字を表示させる。また、ＣＰＵ１０１は、キー入力手段１０４が表示を切り替える操作入力を受け付けると、第１の表示部１０５−１に計測結果の種別を示す文字を予め定めた時間（例えば、３秒間）、第１の表示部１０５−１に表示させる。キー入力手段１０４が表示を切り替える操作入力として、例えば、操作ボタンＡ、Ｄが受け付けた操作入力のように、計測時間の計測に影響しない操作入力が用いられる。
【００２０】
また、ＣＰＵ１０１は、キー入力手段１０４における操作入力を受け付け、各操作ボタンＡ〜Ｄに応じた動作を実行し、計測機能（計測モード）及び読出機能（リコールモード）を実現する。また、ＣＰＵ１０１は、分周回路１０３から入力された計測信号に基づいて時刻の表示や時間を計測する。ここで、ＣＰＵ１０１は、分周回路１０３から入力された計測信号に基づいて現在の時刻を常に計測している。また、ＣＰＵ１０１は、計測モードにおいて、操作ボタンＤの押下により、現在時刻と計測時間（ラップタイムやスプリットタイム）とを交互に切り替えて表示部１０５に表示させる。また、ＣＰＵ１０１は、計測モードにおいて、操作ボタンＢの押下により計測を開始（ラップタイム、スプリットタイム共）する。ＣＰＵ１０１は、計測開始後の操作ボタンＢの押下によりラップタイムをＲＡＭ１１０に記録し、ラップタイムの表示をゼロに戻してラップタイムの計測を再開する。このとき、ＣＰＵ１０１は、スプリットタイムの計測を、そのまま継続する。従って、初回のラップタイム（第１ラップ）とスプリットタイムは一致する一方、第２回目以降のラップタイムはスプリットタイムよりも短い時間である。
そして、ＣＰＵ１０１は、計測開始後の操作ボタンＣの押下により計測を停止し（ラップタイム、スプリットタイム共）、ラップタイムとスプリットタイムとを組にしたファイルをＲＡＭ１１０に記録する。そして、ＣＰＵ１０１は、計測停止後の操作ボタンＣの押下によりリセットし（ラップタイム、スプリットタイム共）、表示をゼロに戻す。
【００２１】
発振回路１０２は、所定周波数（例えば、３２７６８Ｈｚ）の発振信号を生成して分周回路１０３に出力する。分周回路１０３は、発振回路１０２から入力された発振信号の周波数をより低い周波数（例えば、１００Ｈｚ）に分周して計測の基準となる計測信号を生成し、生成した計測信号をＣＰＵ１０１に出力する。キー入力手段１０４は、外部から操作可能な操作ボタンＡ〜Ｄによって構成されており、操作入力を受け付ける。電池１０６は、腕時計１００が備える各部に、動作するための電力を供給する。ＲＡＭ１１０は、腕時計１００が生成したデータを記憶する。例えば、ＲＡＭ１１０は、計測したラップタイムやスプリットタイムを記憶する。ＲＯＭ１１１は、ＣＰＵ１０１が実行する動作用プログラムを予め記憶している。この動作用プログラムは、ＣＰＵ１０１の起動時に読み出される。
【００２２】
次に、表示部１０５における表示態様の状態遷移について説明する。図３は、本実施形態における表示部１０５における表示態様の状態遷移図である。
本図に示す表示態様は、計測結果の種別を示す文字（ＬＰもしくはＬａｐ（ラップタイム）、ＳＰもしくはＳｐｌ（スプリットタイム））の表示態様である。本図において、非表示は、計測結果の種別を示す文字を表示しないことを示す。また、第１表示は、計測結果の種別を示す文字を第１の表示部１０５−１に表示することを示す。また、第２表示は、計測結果の種別を示す文字を第２の表示部１０５−２に表示することを示す。なお、計測結果を示す数字（ラップタイムを示す数字及びスプリットタイムを示す数字）は、第１の表示部１０５−１に表示される。
【００２３】
（１）ＣＰＵ１０１は、計測モードにおいて、非表示の状態（計測をしていない状態）において、計測開始の操作（操作ボタンＢ押下）がされると、時間の計測を開始するとともに、計測結果の種別を示す文字と計測結果を示す数字とを第１の表示部１０５−１に表示させる（第１表示へ遷移する）。
（２）また、ＣＰＵ１０１は、第１表示の状態において、所定時間経過すると、第１の表示部１０５−１における計測結果の種別を示す文字の表示を消去し、第２の表示部１０５−２に計測結果の種別を示す文字を表示させる（第２表示へ遷移する）。この所定時間とは、例えば、計測開始（ラップタイムの計測再開も含む）から計測結果を示す数字の桁数が予め定めた桁数より大きくなる時刻までの経過時間である。すなわち、ＣＰＵ１０１は、計測を開始する操作入力を受け付けた時から計測結果を示す数字の桁数が予め定めた桁数に達するまで、第１の表示部１０５−１に計測結果の種別を示す文字を表示させる。ＣＰＵ１０１は、計測結果を示す数字の桁数が予め定めた桁数に達すると、第１の表示部１０５−１に表示した計測結果の種別を示す文字を消去し、第２の表示部１０５−２に計測結果の種別を示す文字を表示させる。ここで、予め定めた桁数は、例えば、所定時間が１０分の場合は５桁であり、所定時間が１時間の場合は６桁である。
なお、本実施形態では、計測結果を示す数字の桁数以外に、計測結果である数値（時間）が予め定めた値（例えば、上述の１０分、1時間、等）を超えた場合、ＣＰＵ１０１は、第１表示の状態を第２表示の状態に遷移させてもよい。
【００２４】
（３）また、ＣＰＵ１０１は、第２表示の状態において、ラップタイムの計測再開の操作（操作ボタンＢ押下）がされると、第２の表示部１０５−２における計測結果の種別を示す文字の表示を消去し、第１の表示部１０５−１に計測結果の種別を示す文字を表示する（第１表示へ遷移する）。但し、（３）はラップタイムについて実行され、スプリットタイムについては実行されない。
（４）また、ＣＰＵ１０１は、第２表示の状態において、表示を切り替える操作（操作ボタンＡ又はＤ押下）がされると、第１表示へ遷移する。この表示を切り替える操作に係る操作ボタンは、操作ボタンＡ又はＤに限られず、計測の開始、再開、終了等の計測結果に影響を与えない操作ボタンであればよい。
（５）また、ＣＰＵ１０１は、上述した（４）の後、所定時間（例えば、３秒間）経過すると、第２表示へ遷移する。すなわち、ＣＰＵ１０１は、表示を切り替える操作入力を受け付けると、第１の表示部１０５−１に計測結果の種別を示す文字を予め定めた時間表示する。
（６）また、ＣＰＵ１０１は、第２の表示の状態において、リセットの操作（操作ボタンＣ押下）がされると、計測結果の種別を示す文字を消去する（非表示へ遷移する）。
【００２５】
次に、図４から図９を参照して、表示部１０５が表示する計測結果の表示例について説明する。図４は、本実施形態における表示部１０５が表示する計測結果の一例を示す図である。本図に示す例は、上述した第１表示の状態の一例である。図示するように、ラップタイムを示す文字「ＬＰ」が、ラップライムを示す数字を表示するセグメントディスプレイ１０５−１ａを用いて表示される。文字「ＬＰ」が表示される大きさは、ラップタイムを示す数字のうち１秒未満の桁の数字「８８」が表示される大きさと同じである。同様に、スプリットタイムを示す文字「ＳＰ」が、スプリットタイムを示す数字を表示するセグメントディスプレイ１０５−１ｂを用いて表示される。文字「ＳＰ」が表示される大きさは、スプリットタイムを示す数字と同じ大きさである。即ち、計測結果を示す数字を表示する第１の表示部１０５−１を用いて、その数字の少なくとも１つと同じ大きさで計測結果の種別を示す文字を表示するため、従来に比べて計測結果の種別を示す文字が大きくなり、視認性が向上する。
【００２６】
図５及び図６は、本実施形態における表示部１０５が表示する計測結果の他の例を示す図である。図５は、ラップタイムを表示部１０５の上部のセグメントディスプレイ１０５−１ａに表示し、スプリットタイムを表示部１０５の下部のセグメントディスプレイ１０５−１ｂに表示する例である。一方、図６は、スプリットタイムをセグメントディスプレイ１０５−１ａに表示し、ラップタイムをセグメントディスプレイ１０５−１ｂに表示する例である。図５及び図６に示す例は、いずれもラップタイムが上述した第１表示の状態であり、スプリットタイムが上述した第２表示の状態の一例である。図５及び図６に示されるように、ラップタイムを示す文字「ＬＰ」は、ラップライムを示す数字を表示する第１の表示部１０５−１を用いて表示される。図５では、文字「ＬＰ」が表示される大きさは、ラップタイムを示す数字のうち１秒未満の桁の数字「０３」が表示される大きさと同じである。図６では、文字「ＬＰ」が表示される大きさは、ラップタイムを示す数字のいずれの数字が表示される大きさと同じである。他方、スプリットタイムを示す文字「Ｓｐｌ」は、スプリットタイムを表示するセグメントディスプレイ１０５−１ａ（図５の例では、１０５−１ｂ）の左側近傍の表示セル１０５−２ａ（図５の例では、１０５−２ｂ）に表示される。文字「Ｓｐｌ」が表示される大きさは、図５、図６ともにスプリットタイムを示す数字の大きさよりも格段に小さい（例えば、一辺の長さが、１／６〜１／８程度）。
【００２７】
ここで、スプリットタイムは、計測結果を示す数字「１０：５９’５４’’３２」が予め定めた桁数（本例では、５桁）を超えているため、第２の表示部１０５−２に計測結果の種別を示す文字が表示されている。計測結果を示す数字が所定桁数を超えたときに、計測結果の種別を示す文字を第１の表示部１０５−１に表示すると、計測結果の種別を示す文字と計測結果を示す数字との間が狭くなる、又は重なる。そのため、計測結果の種別を示す文字と計測結果を示す数字とを区別し難くなる。ここで、ＣＰＵ１０１は、計測結果を示す数字が所定桁数を超えたとき、計測結果の種別を示す文字を第２の表示部１０５−２に表示させる。そのため、計測結果を示す数字が所定桁数を超えたときに、計測結果の種別を示す文字を第１の表示部１０５−１に表示したままにすることによる視認性の低下を避けることができる。
【００２８】
図７及び図８は、本実施形態における表示部１０５が表示する計測結果の他の例を示す図である。図７は、上述した第１表示の状態の一例である。また、図８は、上述した第２表示の状態の一例である。上述した図３（２）に示す遷移のように、計測結果を示す数字の桁数が予め定めた桁数（本例では、５桁）を超えると、第１表示の状態から第２表示の状態へ遷移する。例えば、ＣＰＵ１０１は、図７に示す状態において、計測結果であるラップタイム、スプリットタイムを示す数字「９’５９’’９９」が「１０’００’’００」に切り替える。つまり、ＣＰＵ１０１は、計測結果を示す数字の桁数が５桁から６桁になると、表示部１０５の表示を図７に示す状態から図８に示す状態に切り替える。
【００２９】
図９は、本実施形態における表示部１０５が表示する計測結果の他の例を示す図である。図９は、上述した図３（４）及び（５）に示す遷移を説明するための図である。図９（ａ）は、上述した第２表示の状態の一例である。図９（ａ）に示す例では、ラップタイムを示す数字をセグメントディスプレイ１０５−１ａに表示し、スプリットタイムを示す数字をセグメントディスプレイ１０５−１ｂに表示するともに、ラップタイムを示すマーク「Ｌａｐ」を表示セル１０５−２ａに表示し、スプリットタイムを示すマーク「Ｓｐｌ」を表示セル１０５−２ｂに表示する。
図９（ｂ）は、上述した第１表示の状態の他の例である。図９（ｂ）に示す例では、計測結果（ラップタイム及びスプリットタイム）を示す数字を第１の表示部１０５−１から消去するとともに、ラップタイムを示す文字「ＬＰ」をセグメントディスプレイ１０５−１ａの左端に表示し、スプリットタイムを示す文字「ＳＰ」をセグメントディスプレイ１０５−１ｂの左端に表示する。「ＬＰ」が表示される大きさは、ラップタイムの時間の桁及び小数点以下の秒の桁を示す数字を表示する大きさと同じである。「ＳＰ」が表示される大きさは、スプリットタイムを示す数字を表示する大きさと同じである。
図９（ｃ）は、上述した第１表示の状態のさらに他の例である。図９（ｃ）に示す例では、計測結果（ラップタイム及びスプリットタイム）の数字を第１の表示部１０５−１から消去するとともに、ラップタイムの種別を示す文字「ＬＡＰ」をセグメントディスプレイ１０５−１ａの中央に表示し、スプリットタイムの種別を示す文字「ＳＰＬ」をセグメントディスプレイ１０５−１ｂの中央に表示する。「ＬＡＰ」が表示される大きさは、ラップタイムの分の桁及び整数秒の桁を示す数字を表示する大きさと同じである。「ＳＰＬ」が表示される大きさは、スプリットタイムを示す数字を表示する大きさと同じである。
すなわち、図９（ｂ）及び図９（ｃ）では、図９（ａ）において、対応する計測結果を示す数字が表示されていた第１の表示部１０５−１を用いて、その数字の少なくとも１つと同じ大きさで各計測結果の種別を示す文字を表示する。
【００３０】
上述した図３（４）のように、第２表示の状態において表示を切り替える操作入力がされると、第１表示の状態へ遷移する。すなわち、ＣＰＵ１０１は、図９（ａ）に示す状態において、表示を切り替える操作入力がされると、表示部１０５の表示を図９（ｂ）又は（ｃ）に示す状態に切り替える。これにより、ユーザは、表示部１０５の上部に表示されていた数字がラップタイムであり、表示部１０５の下部に表示されていた数字がスプリットタイムであることを容易に確認することができる。
【００３１】
そして、上述した図３（５）のように、第１表示の状態から所定時間（例えば、表示を切り替える操作入力を受け付けた後３秒）経過すると、第２表示の状態に戻る。すなわち、ＣＰＵ１０１は、図９（ａ）に示す状態を切り替える操作入力がされてから所定時間経過すると、表示部１０５の表示を図９（ｂ）又は図９（ｃ）に示す状態から図９（ａ）に示す状態に戻す。言い換えれば、ＣＰＵ１０１は、図９（ａ）に示す状態を切り替える操作入力がされると、計測結果の種別を示す文字を、計測結果を示す数字が表示されていた第１の表示部１０５−１に所定時間（例えば、３秒間）表示させる。
【００３２】
上述したとおり、本実施形態では、ＣＰＵ１０１は、計測結果の種別を示す文字を、計測結果を示す数字を表示する第１の表示部１０５−１に、計測結果を示す数字と同じ大きさで表示する。これにより、従来に比べて、計測結果の種別を示す文字を大きく表示できるため、表示されている数字の種別を視認し易く表示することができる。
また、図４〜１０に示す例では、第１の表示部１０５−１に表示される計測結果を示す数字の大きさは複数通りある。そのような場合でも、計測結果の種別を示す文字の大きさは、その複数通りのうち１通りの大きさと同じ大きさであればよい。例えば、図４の上段に示されるラップタイムの秒の桁を示す数字「３」の大きさは、１秒未満の桁を示す数字「８８」よりもそれぞれ大きい。即ち、このラップタイムを示す数字の大きさは２通りある。この例では、図４に示すラップタイムを第１の表示部１０５−１に示す文字「ＬＰ」の大きさは、１秒未満の桁を示す数字「８８」の大きさと同じである。
また、本実施形態では、ＣＰＵ１０１は、計測結果を示す数字が所定桁数を超えると、第１の表示部１０５−１から計測結果の種別を示す文字を消去するとともに、計測結果の種別を示す文字を第２の表示部１０５−２に表示する。これにより、計測結果を示す数字と計測結果の種別を示す文字との間が狭くなり、視認性が低下することを防ぐことができる。
【００３３】
なお、本実施形態では、図４、５、７〜９に示すように、ラップタイムが上段に表示され、スプリットタイムが下段に表示され、図６に示すように、ラップタイムが下段に表示され、スプリットタイムが上段に表示される場合を例にとって説明した。本実施形態では、ＣＰＵ１０１は、操作入力がされることによって、計測結果が表示される行を、計測結果の種別間で切り替えられるようにしてもよい。例えば、操作入力がされる毎に、ラップタイムとスプリットタイムが表示される行が交互に切り替えられるようにする。このとき、ＣＰＵ１０１は、計測結果の種別を示す文字も、各々対応する計測結果を表示する行に表示させる。この表示を切り替える操作に係る操作ボタンは、操作ボタンＡ又はＤ等のうち、計測の開始、再開、終了等の計測結果に影響を与えず、かつ上述の表示の切り替えに影響を与えない操作ボタンであればよい。
【００３４】
また、本実施形態では、ＣＰＵ１０１は、計測結果の種別を示す文字を第２の表示部１０５−２に表示させているときに（第２表示の状態）、表示を切り替える操作入力がされると、計測結果の種別を示す文字を第２の表示部１０５−２から消去する。このとき、ＣＰＵ１０１は、計測結果の種別を示す文字を第１の表示部１０５−１の対応する位置に表示する（第１表示の状態）。これにより、ユーザは、表示されている数字がラップタイムであるかスプリットタイムであるかを容易に確認することができる。また、ＣＰＵ１０１は、この表示を切り替える操作入力の後、所定時間経過すると、計測結果の種別を示す文字を第１の表示部１０５−１から消去するとともに、計測結果を示す数字を第２の表示部１０５−２に表示させる（第２表示の状態）。このため、ユーザはボタン操作等することなく、表示を元に戻すことができる。
【００３５】
なお、上述した実施形態における腕時計１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００３６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００３７】
なお、本実施形態では、いずれかの操作ボタンが操作入力を受け付けたとき、計測結果の表示位置を、計測結果の種別間で変更するようにしてもよい。例えば、ＣＰＵ１０１は、操作ボタンＡ又はＤが操作入力を受け付けたとき、第１の表示部１０５−１の表示されるラップタイムとスプリットタイムの表示位置を切り替える。つまり、ＣＰＵ１０１は、図５に示す表示と図６の示す表示が切り替わるように制御する。
【００３８】
上述した実施形態では、第１の表示部１０５−１がセグメントディスプレイ１０５−１ａ、１０５−１ｂを備える場合を例にとって説明したが、これには限られない。上述した実施形態では、例えばドットマトリクスディスプレイ等、他のディスプレイを備えてもよい。
また、上述した実施形態では、第２の表示部１０５−２が表示セル１０５−２ａ、１０５−２ｂを備える場合を例にとって説明したが、これには限られない。
上述した実施形態では、例えばセグメントディスプレイ等、他のディスプレイを備えてもよい。
【００３９】
以上、本発明の実施形態について説明したが、本発明は、上記実施形態に限定されるものではなく、本発明の趣旨を逸脱しない範囲において種々の変更を加えることが可能である。
【符号の説明】
【００４０】
１００・・・腕時計、１０１・・・ＣＰＵ、１０２・・・発振回路、
１０３・・・分周回路、１０４・・・キー入力手段、１０５・・・表示部、
１０５−１・・・第１表示部、
１０５−１ａ、１０５−１ｂ・・・セグメントディスプレイ、
１０５−２・・・第２表示部、
１０５−２ａ、１０５−２ｂ・・・表示セル、
１０６・・・電池、１１０・・・ＲＡＭ、１１１・・・ＲＯＭ
【図１】
2014038073.tif 000003
【図２】
2014038073.tif 000004
【図３】
2014038073.tif 000005
【図４】
2014038073.tif 000006
【図５】
2014038073.tif 000007
【図６】
2014038073.tif 000008
【図７】
2014038073.tif 000009
【図８】
2014038073.tif 000010
【図９】
2014038073.tif 000011
【図１０】
2014038073.tif 000012